(57)【特許請求の範囲】
【請求項１】
以下を含んでいる、耐震壁構造体：
第一ランナー；
第二ランナー；
１以上のスタッド、及び
前記第一ランナー又は前記第二ランナー内に提供されている、少なくとも１個の耐震挿入体；
ここで、前記耐震挿入体が、少なくとも１つの細長い溝を有しており、前記細長い溝を通過している少なくとも１つの第一固定部材を介して、前記第一ランナー又は前記第二ランナーと連絡して保持されており、
ここで、前記スタッドが、前記少なくとも１つの耐震挿入体に実質的に隣接して、前記第一ランナー及び前記第二ランナーの実質的に内側に配置されており、かつ前記少なくとも１つの耐震挿入体の外に配置されており
ここで、前記耐震挿入体が、前記耐震挿入体の両側又はいずれかの側において、少なくとも１個の第二固定部材を介して、建築板材に接続されており、かつ
ここで、前記建築板材が、地震時に、前記耐震挿入体の動きとともに、第一ランナー及び第二ランナーの長さに沿って、長さ方向に動く。
【請求項２】
前記第一ランナーが、床に提供されており、かつ、前記第二ランナーが、天井に提供されている、請求項１に記載の耐震壁構造体。
【請求項３】
前記第一及び前記第二ランナーが、金属、木又はプラスチックのうちの１つからできているチャンネルを含んでいる、請求項１又は２に記載の耐震壁構造体。
【請求項４】
前記細長い溝の長軸が、前記第一ランナー又は前記第二ランナーの長さ方向長に実質的に平行に配置されている、請求項１〜３のいずれか一項に記載の耐震壁構造体。
【請求項５】
前記耐震挿入体が、前記第一ランナーの形状に従った形状を有しており、かつ、実質的に、前記第一ランナー内に位置しており、又は、
前記耐震挿入体が、前記第二ランナーの形状に従った形状を有しており、かつ、実質的に、前記第二ランナー内に位置している、
請求項１〜４のいずれか一項に記載の耐震壁構造体。
【請求項６】
前記耐震挿入体が、前記第一ランナー又は前記第二ランナーの側壁を超えて延在している、請求項１〜５のいずれか一項に記載の耐震壁構造体。
【請求項７】
前記細長い溝が、前記第一固定部材の直径よりも大きい幅を有している、請求項１〜６のいずれか一項に記載の耐震壁構造体。
【請求項８】
前記細長い溝が、溝内において、前記第一ランナー又は第二ランナーの長さに垂直な少なくとも１個の抵抗部材を有している、請求項１〜７のいずれか一項に記載の耐震壁構造体。
【請求項９】
天井又は床に前記第一ランナー又は前記第二ランナーを接続している少なくとも１個の第三固定部材をさらに有しており、
ここで、前記第三固定部材が、前記耐震挿入体の前記細長い溝を通過していない、
請求項１〜８のいずれか一項に記載の耐震壁構造体。
【請求項１０】
前記建築板材が、石こう又はセメント若しくは繊維セメントを含んでいる、請求項１〜９のいずれか一項に記載の耐震壁構造体。
【請求項１１】
前記建築板材が、補強されている、請求項１〜１０のいずれか一項に記載の耐震壁構造体。
【請求項１２】
前記耐震挿入体が、
基部、
第一脚部、及び
第二脚部、
を有しており、
前記第一脚部及び前記第二脚部が、それぞれ、前記基部から垂直に延在しており、
ここで、前記基部が、少なくとも１つの第一固定部材を受け入れている少なくとも１つの前記細長い溝を有している、
請求項１に記載の耐震壁構造体。
【請求項１３】
前記第一脚部及び前記第二脚部が、前記第一ランナー及び前記第二ランナーの高さよりも大きい高さを有しており、
前記第一脚部及び前記第二脚部が、少なくとも１つの前記第二固定部材によって、両側又はいずれかの側において、前記建築板材に接続されているように、構成されている、請求項１２に記載の耐震壁構造体。
【請求項１４】
前記細長い溝の長軸が、前記第一ランナー又は前記第二ランナーの長さ方向長に実質的に平行に位置しており、前記細長い溝が、前記第一固定部材の直径よりも大きい幅を有している、
請求項１２に記載の耐震壁構造体。
【請求項１５】
前記細長い溝が、２０ｍｍと１００ｍｍの間の長さを有している、請求項１２に記載の耐震壁構造体。
【請求項１６】
前記細長い溝が、溝内において、前記第一ランナー又は前記第二ランナーの長さに垂直な少なくとも一個の抵抗部材をさらに有している、請求項１２に記載の耐震壁構造体。
【請求項１７】
前記抵抗部材が、その長さに沿って、少なくとも１つのへこみを有している、請求項１６に記載の耐震壁構造体。
【請求項１８】
前記へこみが、前記細長い溝の中央又は１つの末端の方に位置しうる、請求項１７に記載の耐震壁構造体。
【請求項１９】
テクスチャ加工された表面を有している、請求項１２に記載の耐震壁構造体。
【請求項２０】
以下を含んでいる、特殊化されたランナーの設置を必要とすることなく地震条件時に建築板材の水平の動きを促進させる請求項１に係る耐震壁構造体を組み立てるための方法：
前記第一ランナー及び前記第二ランナーを提供すること；
少なくとも１つの第三固定部材を使用して、天井又は床に前記第一ランナー及び前記第二ランナーを固定すること；
１以上のスタッドを、前記スタッドの一方の末端を前記第一ランナーに配置し、かつ、前記スタッドの他方の末端を前記第二ランナーに配置することによって、前記ランナーに滑り込ませること；
前記耐震挿入体を、前記スタッドの間で、前記第一ランナー及び／又は前記第二ランナーに配置すること；
前記耐震挿入体を、前記第一固定部材を通じて、前記第一ランナー又は前記第二ランナーに固定すること；並びに
少なくとも１つの第二固定部材を介して、前記耐震挿入体の両側若しくはいずれかの側に、建築板材を取り付けること。
【請求項２１】
前記建築板材が、前記第一及び前記第二ランナーに対して固定された位置で保持されておらず、
地震時に、前記耐震挿入体の動きに付随して、前記第一及び前記第二ランナーの長さに沿って長さ方向に動くように構成されている、請求項２０に記載の方法。
【発明の詳細な説明】
【技術分野】
【０００１】
本発明は、耐震建築要素に関し、特には、建築板材がランナー内で動くことを可能にする耐震挿入体を有している耐震壁構造体に関する。
【背景技術】
【０００２】
地震時には、建物がその基礎の動きに耐えることができることが重要であり、それにより、居住者がけがをすることが防止され、かつ、建物への構造的及び表面的な損傷が最小限にまで低減されることになる。地震時における建物の荷重保持構成要素の一体性を向上させることに関して進歩がある一方で、建物の荷重非保持構成要素への着目は比較的少ない。建物のこれらの荷重非保持構成要素は、建物の全体的な安定性にとって比較的必要度は低い一方で、地震時及び地震後の両方におけるそれらの一体性は、依然として重要な考慮事項である。
【０００３】
地震時においては、建物の荷重非保持構成要素、例えば仕切り壁及び天井の構造的な一体性が、大きな関心事である。なぜならば、これら構成要素へのあらゆる損傷に由来する破片が、落下し、建物の占有者を損傷させうるからである。さらに、これら構成要素の復元力も、主要な関心事である。なぜならば、あらゆる大規模な損傷は、一定期間にわたって建物が不安定になり得ることを引き起こしうるからであり、たとえ建物の構造が安定性を維持していてもそうであり、地震からの回復が遅れる。そのため、地震時及び地震後の両方で、建物の荷重非保持構成要素の復元力を確保することは、重要な課題であり、この課題に対しては、満足のいく解決策が提供されていない。
【０００４】
参考として、米国特許出願第２００６００３２１５７号明細書は、天井ランナー／上部ランナーに関し、これらは、壁を損傷することなく天井が床に対して動くことを可能にするために特別に設計されている。壁システムは、天井ランナー、床ランナー、及び、天井ランナーと床ランナーの間に取り付けられているスタッドを有している。天井ランナーが、固定具によって、天井にゆるく取り付けられており、かつ、床ランナーが、固定具によって、床に取り付けられている。天井ランナーは、複数の溝を規定している。スタッドは、天井ランナーにある溝に配置されており、固定具又は溶接によって固く接続されてはいない。スタッドが、溝内で動き、そのようにして、床に対する天井の水平の動きを引き受ける。水平な天井の動きによって、固定具が、天井ランナーのウェブにおいて、溝内でスライドする。
【発明の概要】
【発明が解決しようとする課題】
【０００５】
しかしながら、この従来技術の参考文献は、板材の水平の動きを促進させるいかなる機構も開示していない。したがって、地震条件において板材の損傷を起こすことなく、既存の上部及び下部ランナーを変更することなく、板材の水平の動きを促進させる装置又はシステムが、必要である。
【課題を解決するための手段】
【０００６】
本開示の一つの側面において、耐震壁構造体を開示する。この耐震壁構造体は、第一ランナー、第二ランナー、及び少なくとも１個の耐震挿入体を有しており、耐震挿入体が、第一ランナー又は第二ランナーと連絡しており、かつ少なくとも１個の建築板材に接続している。耐震挿入体は、さらに、少なくとも１つの細長い溝を有している。耐震挿入体は、細長い溝を通過している少なくとも一つの第一固定部材を介して、第一又は第二ランナーと連絡しつつ、保持されている。耐震挿入体は、少なくとも一個の第二固定部材を使用して、耐震挿入体の両側又はいずれかの側において、建築板材に接続している。
【０００７】
本開示の別の側面では、第一脚部、第二脚部及び基部を有している耐震挿入体を開示する。耐震挿入体の第一脚部及び第二脚部が、基部から垂直に延在している。基部は、さらに、少なくとも１個の第一固定部材を引き受けるための少なくとも１個の細長い溝を有している。
【０００８】
本開示のさらに別の側面では、耐震壁を組み立てるための方法が開示される。この方法は、以下の工程を含んでいる：第一ランナー及び第二ランナーを提供すること、少なくとも１個の第三固定部材を使用して隣接表面に第一及び第二ランナーを固定すること、スタッドの一方の末端を第一ランナーに配置し、かつスタッドの他方の末端を第二ランナーに配置することによって、１以上のスタッドをランナーに滑り込ませること、第一ランナー及び／又は第二ランナーにあるスタッドの間に耐震挿入体を配置すること、第一固定部材を通じて耐震挿入体を第一及び第二ランナーに固定すること、並びに、少なくとも１個の第二固定部材を介して建築板材を耐震挿入体の両側又はいずれかの側に取り付けること。
【０００９】
本開示の他の特徴及び側面は、以下の記載及び添付の図から、明らかとなるであろう。
【００１０】
実施態様は、例示として説明されており、かつ、添付の図に制限されない。
【図面の簡単な説明】
【００１１】
【図１】図１は、本開示の実施態様に係る、ランナーにおいて建築板材に接続している耐震挿入体の概略図を説明している。
【図２】図２は、本開示の実施態様に係る、ランナーに配置された耐震挿入体の概略図を説明している。
【図３】図３は、本開示の実施態様に係る、建築板材への複数の耐震挿入体の接続の概略図を説明している。
【図４】図４は、本開示の実施態様に係る、耐震荷重非保持壁を説明している。
【図５Ａ】図５Ａは、本開示の実施態様に係る、耐震挿入体に包含されている、抵抗部材を有している細長い溝を説明している。
【図５Ｂ】図５Ｂは、本開示の別の実施態様に係る、耐震挿入体に包含されている、抵抗部材を有している細長い溝を説明している。
【図５Ｃ】図５Ｃは、本開示の別の実施態様に係る、耐震挿入体に包含されている、抵抗部材を有している細長い溝を説明している。
【図５Ｄ】図５Ｄは、本開示の別の実施態様に係る、耐震挿入体に包含されている、抵抗部材を有している細長い溝を説明している。
【図５Ｅ】図５Ｅは、本開示の別の実施態様に係る、耐震挿入体に包含されている、抵抗部材を有している細長い溝を説明している。
【図６】図６は、本開示の実施態様に係る、細長い溝に包含されている抵抗部材を有している耐震挿入体及び有していない耐震挿入体のシミュレーションの結果を説明している。
【図７】図７は、本開示の実施態様に係る、種々の位置にへこみを有している、細長い溝に包含されている抵抗部材のシミュレーションの結果を説明している。
【図８】図８は、本開示の実施態様に係る、耐震壁を組み立てるためのフローチャートを説明している。
【図９】図９は、本開示の実施態様に係る、実寸試験設定での、標準しっくい板材、耐震挿入体が組み込まれている標準しっくい板材、及びＨａｂｉｔｏ板材の力対変位を示すグラフを説明している。
【図１０】図１０は、本開示の実施態様に係る、実験室試験設定での、標準しっくい板材、耐震挿入体が組み込まれている標準しっくい板材、及び耐震挿入体を有しているＨａｂｉｔｏ板材の力対変位を示すグラフを説明している。
【００１２】
当業者は、図における要素は簡略性及び明確性のために説明されており、かつ必ずしも縮尺通りではないことを、理解する。例えば、図におけるいくつかの要素の寸法は、他の要素に対して誇張されていてよく、それによって、本発明の実施態様のより良い理解を助けている。
【発明を実施するための形態】
【００１３】
ランナーに配置される耐震挿入体を有している耐震壁構造体を、開示する。そのような構造体は、有利である。なぜならば、そのような構造体は、特殊化されたランナーの設置を必要とすることなく、耐震壁、天井、及びその他の建築要素の組み立てを可能とするからである。耐震挿入体は、さらに、１以上の細長い溝を有している。本発明の耐震挿入体は、この細長い溝によって促されて、ランナーに対して動き、そのようにして、構造体壁に、耐震性が提供される。ランナーと、建物の隣接表面との間の接続は、可動的である必要はなく、かつ、従来のランナー又はチャンネルを使用することができる。そのような特徴は、有利であり、なぜならば、設置の容易さの増加に伴って、構造体要素の設置のコストが低減されうるからである。
【００１４】
さらには、耐震壁構造体の動きが、ランナーに対する耐震挿入体の動きによって制御されることが、有利でありうる。なぜならば、そのような実施態様では、上述の動きが、細長い溝の長さ、及びランナーと耐震挿入体との間の摩擦によって決定されるからである。本発明のこの実施態様では、耐震挿入体及びランナーが、使用者によって選択される材料から組み立てられ、したがって、これら２者の間の摩擦の程度を選択することができ、それにより使用者によって規定されるパラメータの範囲内であるようにする。このことは、他のシステムにおいては当てはまらないと考えられ、他のシステムでは、耐震構造体は、事前に設置される構成要素、例えば建物のコンクリート構造体に対して移動し、又はそれに対してスライドする。
【００１５】
１つの実施態様では、耐震壁が、荷重非保持型である。本発明のそのような実施態様は、好適でありうる。なぜならば、これによって、内側壁、天井、及びその他の空間分割構造要素を組み立てることが可能となり得るからである。
【００１６】
可能な場合には常に、同一の符号が、同一又は類似の部品に言及するために、図面にわたって使用されるであろう。図１は、例示的なランナー１及び例示的な耐震挿入体２を説明している。本発明のこの実施態様では、耐震挿入体２が、第一固定部材３を介して、ランナー１の内側に配置されている。第一固定部材３が、さらに、隣接表面４、最も慣用的には天井若しくは床に対する位置に、ランナー１を固定又は保持している。本発明のこの実施態様では、耐震挿入体２が、Ｕ形状の部材であり、ランナー１の内側に適合するサイズにされている。Ｕ形状の耐震挿入体２は、ランナー１内において良好に動くことができ、一方で、建築板材を容易に接続することができる表面を提供する。
【００１７】
ランナー１内において耐震挿入体２を配置又は位置決めするために使用される第一固定部材３を、細長い溝５を通して、耐震挿入体２に挿入する。細長い溝５は、ランナー１の長さ方向長に実質的に平行に配置されている。耐震挿入体２における細長い溝５の使用は、地震に関連する動きに対応した、ランナー１の長さ方向長に沿った耐震挿入体２の動きを可能とする。したがって、ランナー１の長さ方向長に沿って耐震挿入体２が経験しうる移動の度合いは、細長い溝５の長さによって制限されうる。図１で描写される本発明の実施態様では、細長い溝５は、６０ｍｍの長さを有しているが、少なくとも２０ｍｍと１００ｍｍの間の長さが想定される。
【００１８】
追加的に、図１は、建築板材６、この実施態様ではしっくい板材パネルの、第二固定部材７を介した耐震挿入体２への固定又は取り付けを描写している。本発明のこの実施態様では、第二固定部材７によって、建築板材６が、耐震挿入体２に取り付けられており、建築板材６が、ランナー１の外側において、耐震挿入体２に対する適切な位置に保持されている。したがって、この実施態様では、建築板材６は、ランナー１に対して固定された位置に保持されてはおらず、その代わりに、耐震挿入体２の動きに付随して、ランナー１の長さに沿って長さ方向に動くことができる。本発明のそのような実施態様は有利でありうる。なぜならば、地震の間における耐震構造体要素への損傷を防ぐために必要な、建築板材６と耐震挿入体２との間のしっかりとした接続を、第二固定部材７が、提供しうるからである。
【００１９】
本発明の１つの実施態様では、耐震挿入体２が、好ましくは、実質的にランナー１内に位置しうる。１つの別の実施態様では、耐震挿入体２が、ランナー１よりも上に延在している。そのような実施態様は、好適でありえる。なぜならば、耐震挿入体２がランナー１内で動くことができる能力を、耐震挿入体２とランナー１との間の摩擦によって実質的に制御しうるからである。この材料パラメータは、耐震壁構造体の設置時に、使用者が、制御又は選択することができ、したがって、ランナー１に対する耐震挿入体２の動きを引き起こすのに必要な地震の強度にわたるカスタマイズが可能となりうる。そのような実施態様もまた、好適であり得る。なぜならば、それは、任意の隣接表面の材料又は仕上げにおける差異が、特定の領域において耐震構造体システムの移動性に影響を与えることを防止しうるからである。
【００２０】
本発明のこの実施態様では、第一固定部材３が、ねじであるが、ボルト及び他の固定方法の使用もまた、想定される。ここでは、細長い溝５が、第一固定部材３よりも幅広いが、しかしながら、第一固定部材３を形成しているねじの頭は、細長い溝５よりも幅広い。このようにして、耐震挿入体２は、細長い溝５の制限の範囲内で、ランナー１の長さに沿って長さ方向に移動することができるが、第一固定部材３を形成しているねじの頭によって、ランナー１と連絡しつつ保持される。
【００２１】
１つの実施態様では、第二固定部材７が、ねじを含んでいてよい。１つの他の実施態様では、第二固定部材７が、ボルトを含んでいてよい。別の実施態様では、第二固定部材７が、くぎを含んでいてよい。さらに別の実施態様では、建築板材６を、接着性物質又は接着剤（グルー）を使用して耐震挿入体２に接続してよい。
【００２２】
本開示の配置においては、建築板材６が、ランナー１に可動的に接続されており、地震に関連する地面の動きとともに動くその能力を低減することなく、構造体要素の復元力を、潜在的に向上させる。追加的に、耐震挿入体２を天井と連絡させて使用することは、耐震構造体システムの動きにわたる制御を増加することを可能にし得る。このときには、この動きを、細長い溝５の長さ、及び耐震挿入体と天井との間の摩擦の程度によって、追加的に制御することができる。
【００２３】
図２は、ランナー１への耐震挿入体２の接続を、比較的詳細に説明している。図２は、図１のランナー１、耐震挿入体２、第一固定部材３、隣接表面４、及び細長い溝５を描写しており、かつ、第三固定部材８の使用も描写している。第三固定部材８は、隣接表面４に対する適切な位置にランナー１を固定するために使用されており、耐震挿入体２にある細長い溝５を通して挿入されてはいない点で、第三固定部材８は、第一固定部材３と異なっている。そのため、第三固定部材８は、耐震挿入体２又は建築板材６の動きとは関連しておらず、かつ、ランナー１と隣接表面４との間の強固な固定を提供している。
【００２４】
本発明のこの実施多様では、第三固定部材８が、ねじであるが、しかしながら、ボルト、アンカーブロック、及び他の固定手段も、別個に又は組み合わせて、代替物として想定される。１つの他の実施態様では、第三固定部材８が、ランナーの端部の近位に位置していることができる。別の実施態様では、第三固定部材８が、図４において示されるような第一ランナー９及び第二ランナー１１の端部に位置していることができる。そのような実施態様は、好適であり得る。なぜならば、第三固定部材８は、地震の間に、潜在的に隣接表面から持ち上げられることによって又は引き離されることによって、不具合を起こしやすい可能性があるからである。
【００２５】
さらに別の実施態様では、第三固定部材８が、第一ランナー９及び第二ランナー１１の長さに沿って規則的に間隔をあけて配置されていてよい。そのような実施態様は、好適であり得る。なぜならば、それは、第一ランナー９及び第二ランナー１１が、実質的にその長さに沿って、隣接表面にしっかりと取り付けられていることを確保しうるからである。
【００２６】
他の実施態様においては、テクスチャ加工されている、くぼみを施されている、又は畝模様があるというように記述されうる材料から、ランナー１が、組み立てられている。１つの他の実施態様では、ランナー１が、金属チャンネルである。１つの他の実施態様では、ランナー１が、木製チャンネルである。１つの他の実施態様では、ランナー１が、プラスチックのチャンネルである。好ましくは、チャンネルは、Ｕ形状の断面を有している。さらに別の実施態様では、Ｕ形状の断面が金属である。
【００２７】
１つの実施態様では、耐震挿入体２が、金属からできている。１つの特定の実施態様では、耐震挿入体２が、スチール鋼からできており、なぜならば、スチール鋼は、容易に使用することができる低価格の材料だからである。さらには、スチール鋼の耐震挿入体２が、ランナー１内において容易に動くことができるなめらかで低摩擦の表面を有していてよく、耐震構造体システムが地震の間の損傷に抵抗することが可能となる。
【００２８】
１つの別の実施態様では、耐震挿入体２が、テクスチャ加工された表面を有していてよい。テクスチャ加工された表面は、耐震挿入体２の強度を向上させることができ、地震の間における損傷に対する向上した耐性が、耐震壁構造体に提供される。テクスチャ加工された表面は、また、耐震挿入体２に、追加的な剛性を提供することができ、それにより、建築板材６を、第一固定部材３を使用して、耐震挿入体２に比較的容易に固定することができるようになる。
【００２９】
テクスチャ加工された表面は、畝、谷間、へこみ、起伏、若しくはくぼみのうちのいずれか１つ、又はそれらの組み合わせを有していてよい。１つの実施態様では、テクスチャを、挿入体の形成時に、耐震挿入体２の表面に導入してよい。１つの他の実施態様では、テクスチャを、耐震挿入体２の形成の後に、その表面に機械加工してよい。
【００３０】
１つの実施態様では、細長い溝５が、ランナー１の長さ方向長と実質的に平行に位置している。１つの他の実施態様では、細長い溝５が、第一固定部材３の直径よりも大きい幅を有していてよい。１つの他の実施態様では、細長い溝５が、第一固定部材３の直径よりも少なくとも１ｍｍ大きい幅を有していてよい。代替的な実施態様では、細長い溝５が、第一固定部材３の直径よりも、少なくとも３ｍｍ、又は少なくとも５ｍｍ大きい幅を有していてよい。第一固定部材３の直径よりも大きい幅を有している細長い溝５の使用が、好適であり得る。なぜならば、それは、地震に関連する地面の動きの間における、耐震挿入体２の動き及び取り付けられた建築板材６の動きに対する、いかなる抵抗をも低減しうるからである。
【００３１】
１つの他の実施態様では、細長い溝５が、２０ｍｍと１００ｍｍの間の長さを有していてよい。１つの他の実施態様では、細長い溝５が、６０ｍｍの長さを有していてよい。１つの他の実施態様では、細長い溝５が、４０ｍｍと８０ｍｍの間の長さを有していてよい。そのような長さの使用は、好適であり得る。なぜならば、これにより、耐震壁構造体の十分な移動が可能となり、それにより、耐震壁構造体が、地震に関連する地面の動きの間の損傷に抵抗しうるようになるからである。好ましくは、細長い溝５の長さを、耐震壁構造体が挿入されている建物の許容可能な階間変位に対応するように、選択してよい。
【００３２】
本発明のいくつかの実施態様では、細長い溝５が、（図５Ａ〜５Ｅで示される）少なくとも１個の抵抗部材１４を有していてよい。本発明のそのような実施態様では、細長い溝５における少なくとも１個の抵抗部材１４の包含によって、任意の特定の地震の間にランナー１に対して耐震挿入体２が動きうる範囲にわたる、追加的なレベルの制御を、提供し得る。そのようにして、耐震壁構造体の反応を、任意の地震の深刻度に対して適切になるように適合させることができる。１つの実施態様では、抵抗部材１４を、細長い溝５の長軸に実質的に垂直に位置させてよい。１つの他の実施態様では、抵抗部材１４が、細長い溝５を横切って延在している抵抗材料片を含んでいてよい。１つの他の実施態様では、抵抗部材１４が、細長い溝５の成形された端部を有していてよい。さらに別の実施態様では、抵抗部材１４が、細長い溝５の長さにわたって少なくとも１個のへこみ１５を有していてよい。
【００３３】
図３は、部分的に組み上げられた壁構造体を描写している。図３では、第一ランナー９が、床表面１０に接続されており、かつ、第二ランナー１１が、天井表面１２に接続されている。耐震挿入体２が、図２で説明されるようにして、第一ランナー９及び第二ランナー１１それぞれに配置されており、かつ、それぞれの耐震挿入体２が、複数の第二固定部材７を介して、建築板材６に接続されている。本発明のこの実施態様では、建築板材６が、２つの表面１０と１２の間でしっかりと保持されているが、地震に関連する動きに反応して、第一及び第二ランナー９及び１１に沿って、長さ方向に動くことができる。
【００３４】
一つの実施態様では、第一ランナー９及び第二ランナー１１が、互いに対して実質的に対向している。そのような実施態様は、好適であり得る。なぜならば、それは、耐震壁及び天井の建設を容易にしうるからである。１つの別の実施態様では、建築板材６の端部が、第一ランナー９又は第二ランナー１１の実質的に外側に位置している。そのような実施態様では、建築板材６が、第一ランナー９及び第二ランナー１１を隠すことができ、それにより、建築板材６が、隣接表面に隣接しうるようになっている。この場合には、耐震壁構造体の美観を向上させることができ、かつ、インテリアデザイン計画への耐震挿入体２の統合を、比較的容易に達成することができる。
【００３５】
１つの実施態様では、耐震壁構造体が、建築板材６に接続している少なくとも１個の支柱１３をさらに有していることが好適であり得る。そのような実施態様は、好適であり得る。なぜならば、それは、支柱１３によって接続されている耐震壁構造体を使用して、比較的大きい壁、天井又は他の建築要素の建設を可能としうるからである。
【００３６】
本発明のいくつかの実施態様では、上述の支柱１３の末端が上述の第一ランナー９又は上述の第二ランナー１１とともに、実質的に配置されていることが好適であり得る。本発明のそのような実施態様では、支柱１３が、地震に反応して、建築板材６とともに自由に動くことができ、潜在的に、耐震壁構造体へのいかなる損傷も低減される。そのような実施態様もまた、有利であり得る。なぜならば、支柱１３の末端と第一ランナー９又は第二ランナー１１との間の摩擦を、支柱１３並びにランナー９及び１１の両方に関する材料の選択を介して、使用者が、制御することができるからである。別の実施態様では、支柱１３が、ランナーへの固定された接続を有していなくてよい。さらに別の実施態様では、支柱１３が、壁スタッドである。
【００３７】
１つの実施態様では、建築板材６が、高い重量パーセントのガラス繊維及びスターチを両方有している石こうパネルであってよい。別の実施態様では、建築板材６が、セメント質の又は木に基づいている板材であってよいが、他の材料の使用もまた想定される。セメント質の板材としては、限定するわけではないが、石こう、ポートランドセメント、アルミン酸カルシウム、オキシ塩化マグネシウム、リン酸マグネシウム、及びそれらの混合物を含有しているものが挙げられる。
【００３８】
石こうに基づいている板材が、しっくい板材タイプの構造体であり、かつ、紙、ガラス繊維又は他のライナーによって上塗りされていてよいということも、想定される。さらには、石こうに基づいている建築板材が、石こう繊維又は類似の構造体であってよい。１つの他の実施態様では、建築板材６が、繊維セメントを含んでいてよい。本発明のそのような実施態様は、好適であり得る。なぜならば、建築板材は、容易に入手可能であり、かつ、これを多くの形状へと成形して、壁、天井、及び多様な形状のその他の空間分割構造体要素を、提供しうるからである。
【００３９】
１つの他の実施態様では、建築板材６が、補強されていてよい。本発明のそのような実施態様は、好適であり得る。なぜならば、建築板材のラッキング耐性が向上しうるからである。さらに別の実施態様では、建築板材６が、ポリマー製のバインダ及び複数の繊維を含んでいてよい。そのような特徴は好適であり得る。なぜならば、それは、建築板材に補強を提供しうるからである。好ましくは、上述の複数の繊維が、ガラス繊維、合成ポリマー繊維、又は天然繊維を、別個に、又は組み合わせて、含んでいてよい。
【００４０】
１つの他の実施態様では、上述のポリマー製のバインダ及び上述の複数の繊維が、合計して、建築板材６の１重量％よりも多い。本発明のそのような実施態様は、好適であり得る。なぜならば、それは、建築板材６の強度を向上させうるからである。好ましくは、ポリマー性バインダが、建築板材６の１重量％よりも多くてよい。好ましくは、繊維が、建築板材６の１重量％よりも多くてよい。１つの実施態様では、ポリマー製のバインダが、スターチを含んでいてよい。１つの他の実施態様では、ポリマー性バインダが、ポリビニルアセテートに限定されない合成材料を含んでいてよい。さらに別の実施態様では、建築板材６が、Ｈａｂｉｔｏ（登録されている商標）板材を含んでいてよい。
【００４１】
図４は、耐震で荷重非保持型の壁１００を概略的に説明している。本発明のこの実施態様では、建築板材６が、第一ランナー９及び第二ランナー１１の内側に配置されている耐震挿入体２とともに適切な位置に保持されており、スタッド１３と接続されている。そのようにして、図４において描写されている荷重非保持型壁１００を形成している建築板材６が、スタッド１３によって互いに対する位置を保持して、地震に反応して一緒に動くことができる。建築板材６は、ランナーに沿って長さ方向に一緒に動くことができる。なぜならば、本発明のこの実施態様では、建築板材６が、耐震挿入体２及び第一固定部材３の使用を介して、第一ランナー９及び第二ランナー１１内に配置されているからである。本発明のこの実施態様では、物品、例えばテレビ及びコンピュータスクリーンを支持するのに十分な安定性、及び、地震時に損傷に抵抗するのに十分な可動性の両方を有している壁１００が、提供される。
【００４２】
図５Ａ〜図５Ｅは、耐震挿入体２の細長い溝５の種々の実施態様を概略的に説明している。細長い溝５の１つの実施態様では、抵抗部材１４が、図５Ａにおいて示されているように、細長い溝５の長軸に対して大まかに垂直に配置されている。これらの抵抗部材１４は、細長い溝５内における第一固定部材３の動きに対する抵抗又は妨害を提供し、それにより、耐震挿入体２が、周囲構造の大きな動き、例えば地震に関連した動きに反応したときにのみ、ランナー１に対して動くようにしている。
【００４３】
図５Ｂにおいて描写されている本発明の１つの他の実施態様では、抵抗部材１４が、中央へこみ１５を有しており、ここにおいて、抵抗部材１４が弱められており、それにより、地震に関連する地面の動きによってランナー１に対する耐震挿入体２の動きが引き起こされた場合に、抵抗部材１４が破壊されうるように又は変形しうるようになっている。
【００４４】
図５Ｃにおいて描写されている本発明の１つの他の実施態様では、抵抗部材１４が、第一固定部材３に向いている方向に中央へこみ１５を有しており、ここにおいて、抵抗部材１４が弱められており、それにより、地震に関連する地面の動きによってランナー１に対する耐震挿入体２の動きが引き起こされた場合に、抵抗部材１４が破壊されうるように又は変形しうるようになっている。
【００４５】
図５Ｄにおいて描写されている本発明の１つの他の実施態様では、抵抗部材１４が、第一固定部材３とは逆の方向に中央へこみ１５を有しており、ここにおいて、抵抗部材１４が弱められており、それにより、地震に関連する地面の動きによってランナー１に対する耐震挿入体２の動きが引き起こされた場合に、抵抗部材１４が破壊されうるように又は変形しうるようになっている。
【００４６】
図５Ｅにおいて描写されている本発明の１つの他の実施態様では、抵抗部材１４が、抵抗部材１４の末端の方にへこみ１５を有しており、ここにおいて、抵抗部材１４が弱められており、それにより、地震に関連する地面の動きによってランナー１に対する耐震挿入体２の動きが引き起こされた場合に、抵抗部材１４が破壊されうるように又は変形しうるようになっている。
【００４７】
ひとたび、抵抗部材１４が破壊され又は変形されると、第一固定部材３が、抵抗部材１４の位置を過ぎて動くことができ、耐震挿入体２がランナー１内において比較的広い範囲で動くことが可能となる。
【００４８】
本発明の種々の実施態様では、抵抗部材１４が、スチール鋼を含んでいる。さらには、これらの実施態様では、抵抗部材１４が、耐震挿入体２と、連続的で単一な部分を形成している。
【００４９】
ボルトの動きのもとで、耐震挿入体２の変形挙動、及び、へこみ１５を有している又は有していない抵抗部材１４の効果を理解するために、シミュレーション及び数値分析を行った。耐震挿入体２を、耐震挿入体２に提供されている第一固定部材３を通じて、コンクリート壁チャンネルに固定した。石こう板材を、２個の第二固定部材７を使用することによって、耐震挿入体２に取り付けた。振動の間にわたって、耐震挿入体２は、第一固定部材が耐震挿入体２内で動くことを可能にすることによって、石こう板材が一方向配置で動くことを可能にする。
【００５０】
耐震挿入体２における有限要素分析を、耐震挿入体２のたわみ分析、及び耐震挿入体２の可塑性変形動作への抵抗部材１４の影響によって決定した。耐震挿入体２のたわみ分析を行って、細長い溝５における抵抗部材１４の提供が、ねじりの間の耐震挿入体２におけるたわみを低減できるかどうかについて評価した。耐震挿入体２に建築板材６を設置することによって、耐震挿入体２の第一及び第二脚部の曲がりが引き起こされることが見いだされた。ここで、曲がりを低減するために、耐震挿入体２の細長い溝５に抵抗部材１４を導入した。抵抗部材１４を有している耐震挿入体２、及び抵抗部材１４を有していない耐震挿入体２のシミュレーション結果を、図６に描写する。抵抗部材１４が存在すると耐震挿入体２の第一及び第二脚部の内向きの変位が低減されることが、観察された。
【００５１】
抵抗部材１４は、第一固定部材３の動きに関する障害として働く。抵抗部材１４の長さに沿った種々の位置にへこみ１５を有している抵抗部材１４を提供することの影響を理解するために、下記のシミュレーションを行った：
へこみ１５を有していない抵抗部材１４の分析
抵抗部材１４のコーナー（耐震挿入体の側）にへこみ１５を有している抵抗部材１４の分析
抵抗部材１４の中央（耐震挿入体の側）にへこみ１５を有している抵抗部材１４の分析
抵抗部材１４の中央（抵抗部材の反対側）にへこみ１５を有している抵抗部材１４の分析
抵抗部材１４の中央（両側）にへこみを１５有している抵抗部材１４の分析。
【００５２】
種々の位置にへこみ１５を有している抵抗部材１４のシミュレーション結果を、図７に示した。結果が示していたのは、両側に中央へこみ１５を有している抵抗部材１４が、他のすべての位置と比較した場合に、より良好な結果を提供することである。グラフは、へこみ１５のすべての種々の位置に関しての、力対変位のシミュレーション結果を示している。
【００５３】
図８に関して、耐震壁の建設の方法２００のためのフローチャートを、説明する。実施態様において、図３及び図４の耐震壁を、方法２００の工程２１０〜２６０を実施することによって、形成してよい。しかしながら、本開示の範囲から逸脱することなく、他の適切なツールを使用して方法２００を実施することを検討することもできる。
【００５４】
工程２１０では、第一ランナー９及び第二ランナー１１を、表面に隣接させて提供する。１つの実施態様では、第一ランナー９及び第二ランナー１１を、それぞれ、壁及び天井表面に隣接させて提供する。１つの他の実施態様では、第一ランナー９及び第二ランナー１１を、水平の平面において、互いに対向して提供してもよい。
【００５５】
工程２２０では、第一ランナー９及び第二ランナー１１を、第三固定部材を使用して、隣接表面に固定する。
【００５６】
工程２３０では、１以上のスタッドを、スタッドの一方の末端を第一ランナー９に、かつスタッドの他方の末端を第二ランナー１１に配置することによって、第一ランナー９及び第二ランナー１１の長さに沿って、滑り込ませる。１つの実施態様では、スタッドの数が、構造体壁の長さに依存する。
【００５７】
工程２４０では、耐震挿入体２を、スタッドの間で、第一ランナー９及び第二ランナー１１に配置する。１つの実施態様では、耐震挿入体２の数が、ランナーに配置されるスタッドの数に依存する。１つの実施態様では、耐震挿入体２が、ランナーにおいて、スタッドと交互になっている。
【００５８】
工程２５０では、耐震挿入体２を、第一固定部材３を通じて、第一ランナー９及び第二ランナー１１に固定する。
【００５９】
工程２６０では、建築板材６を、少なくとも１個の第二固定部材７を介して、耐震挿入体２の両側又はいずれかの側に取り付ける。
【００６０】
１つの実施態様では、建築板材６が、第一ランナー９及び第二ランナー１１に対して固定された位置に保持されていない。１つの他の実施態様では、建築板材６が、地震時に、耐震挿入体２の動きとともに、第一ランナー９及び第二ランナー１１の長さに沿って、長さ方向に動く。
【実施例】
【００６１】
〈実施例１〉
〈耐震壁の耐震試験：実寸試験設定〉
本発明の方法に従って、耐震壁を組み立てた。耐震壁は、ランナーに固定されている耐震挿入体、及び耐震挿入体に固定されている建築板材を有している。
【００６２】
試験壁は、おおよそ、高さ２．４ｍ及び長さ４．８ｍであった。この壁を、寸法０．２×０．２×２．５ｍのコンクリートの反力梁にわたって設置した。荷重梁／スプレッダー梁を、壁の上に提供して、均一なせん断の適用を可能にした。このスプレッダー梁は、１００ｍｍ間隔をあけた２個のＩＳＭＣ１５０チャンネル［５］からできており、これらの間にコンクリートブロックを固定して、それによって、実際の現場条件に類似する条件を模擬した。８ｍｍΦのＨｉｌｔｉボルト（Ｓｌｅｅｖｅ  Ａｎｃｈｏｒ  ＨＬＣ  ８×４０／１０）によって、壁パネルの上部トラックを、スプレッダー梁に取り付け、かつ、底部トラックを、反力梁に取り付けた。
【００６３】
上部における、壁の横方向の面外動作を抑制するために、２０ｍｍの厚みのプレートを有している２個のＴ字型ブラケットを、スプレッダー梁における２個のＩＳＭＣの間の２２ｍｍの隙間に挿入した。Ｔ字ブラケットを、荷重フレームの上部においてＩＳＭＢ２５０［５］梁のウェブに接続した。次に、それを、反力フレームの垂直部材の面に接続した。反力梁及びスプレッダー梁のフランジに板材端部が保持されることを回避するために、かつ、板材の自由な動きを可能にするために、荷重フレームの上部及び底部において、板材と梁との間に１０ｍｍの隙間を確保した。スプレッダー梁を、作動装置に接続した。面内せん断荷重を、プログラム可能なサーボ水力作動装置（ＭＴＳ  Ｓｙｓｔｅｍ  Ｃｏｒｐｏｒａｔｉｏｎ）を使用して、スプレッダー梁を通して適用した。作動装置の荷重運搬能力は３５０ｋＮで、変位範囲は＋／−２５０ｍｍであった。
【００６４】
線形可変差動変圧器（ＬＶＤＴ）を使用して、垂直及び水平変位を計測した。すべてのＬＶＤＴを、データ記録器に接続して、事前に規定されたレートで、自動データ取得を行った。
【００６５】
すべての実験を、変位制御モードのみで行った。変位を入力として、ＭＴＳデータ取得システムを同時に使用して、作動装置荷重セルを通じて、荷重を計測した。検体におけるＬＶＤＴ測定値を、作動装置の入力変位及び荷重と同期させるために、作動装置ラムの上部に、参照荷重セルを配置した。
【００６６】
壁要素の耐震試験のためのＡＳＴＭ規格（単調試験のためのＡＳＴＭ  Ｅ５６４［６］及びサイクル試験のためのＡＳＴＭ  Ｅ２１２６［７］）に従って、この試験を行った。この規格は、水平力抵抗システムの垂直要素のせん断剛性、せん断強度、及び延性の評価のための３つの荷重プロトコルに及んでおり、疑似静的サイクル（逆）荷重条件下での、適用可能なせん断接続及び押下げ接続を含んでいる。地震はランダムな振動であり、実際の荷重を完全に再現できる、特有のサイクル性変位又は荷重履歴は存在しなかった。これらの荷重プロトコルは、弾性及び非弾性サイクル特性、並びに地震荷重において予期された典型的な故障モードを十分に記述するデータを生成することが意図されていた。
【００６７】
図９は、耐震試験結果のグラフ表示を提供している。標準石こう板材、単層；標準石こう板材、耐震挿入体を有している単層；及び、Ｈａｂｉｔｏ板材、単層；でできている壁の結果を提供する。結果を、表１においても一覧にしている。
【００６８】
【表１】
0006989498.tif 000002
【００６９】
図９は、さらに、プロットにおいて〜６ｋＮのところに水平の線を示しており、これは、すべての主要な標準建築法令要件の力要件に合格するための、試験壁（２．４ｍ×４．８ｍ、重量〜２５０ｋｇ）に関する最小限の力性能を示している。変位要件は、種々の建築法令に関して比較的多様であり、例えば、Ｅｕｒｏｃｏｄｅに関しては、要求される変位性能は、２４ｍｍ〜３６ｍｍであり、かつ、アメリカの法令ＡＳＣＥに関しては、要件は、３６ｍｍ〜６０ｍｍである。完全な法令適合性を有しているグローバル壁システムに関しては、壁の強度は、６ｋＮを超えていなければならず、かつ、変位性能が、６０ｍｍを超えていなければならない。
【００７０】
標準石こう板材壁は、調査されているすべての主要な建築法令の力要件に合格することができる。しかしながら、これは、完全な変位要件を得るための柔軟性を有していない。Ｈａｂｉｔｏ板材を有している壁は、標準壁と比較して比較的高い力性能を有していることが分かったが、変位性能においては、大幅な上昇はなかった。耐震挿入体を有している標準板材は、要求される追加的な柔軟性を示しており、（溝のサイズ＝６０ｍｍで）８０ｍｍまでの変位を引き受けることができた。しかしながら、この耐震挿入体を理由として、壁の荷重性能が、減少していたが、それでも、力要件よりも上であった。
【００７１】
別の実施態様では、壁の荷重性能を維持するための高強度及び要求される柔軟性を有するであろう、耐震挿入体を有しているＨａｂｉｔｏ板材を使用することができる。
【００７２】
耐震挿入体を有しているＨａｂｉｔｏ板材壁の性能を、壁の実験室設定において行い、ユニバーサル試験機械において試験した。この実験室規模の試験設定は、壁システムの小さい断片（寸法０．２５ｍ×０．２５ｍ、板材が、内側で金属枠に取り付けられている）を（地震荷重下における仕切り壁の性能を決定する重要な因子である）面内せん断において試験することを可能とし、現実の壁システムに類似する故障モード及び他の性能を生成することが示されていた。屋内で上記の設定を使用することで、規模の縮小を行うことが可能となり、かつ、壁システムの耐震性能のパラメトリック調査を行うことが可能となった。
【００７３】
表２は、上述の試験手順からの結果を提供する。図１０は、実験室規模の試験設定における、力−変位試験結果を説明している。耐震挿入体を有しているＨａｂｉｔｏ板材システムは、標準板材と比較して、比較的高い変位に耐え（９０ｍｍ対６４ｍｍ）、これと相まって、高い強度があり（１９００Ｎ対１３００Ｎ）、したがって、強度及び柔軟性の最適な値を有している「最善の解決策」を提示した。
【００７４】
【表２】
0006989498.tif 000003
【００７５】
全体的な記述又は実施例において上述されている作業のすべてが、必要とされるわけではないこと、特定の作業の一部は、必要ではないことがあり得ること、及び、記載されているものに加えて、１以上の追加的な作業が実行されうることに、留意すべきである。さらには、挙げられている作業の順番は、必ずしも、それらが実行される順番ではない。
【００７６】
利点、他の有利な点、及び課題に対する解決策を、特定の実施態様に関して、上に記載した。しかしながら、利点、有利な点、課題に対する解決策、及び、任意の利点、有利な点、又は解決策を引き起こしうる若しくは比較的顕著になり得るすべての（１又は複数の）特徴を、いずれかの若しくはすべての請求項の、重要な、要求される、又は必須の特徴として解釈するべきではない。
【００７７】
本記載で記述されている明細書及び実施態様の説明は、様々な実施態様の構造の一般的な理解を提供することを意図したものである。明細書及び説明は、本記載で記載されている構造又は方法を使用する装置及びシステムのすべての要素及び特徴を徹底的かつ包括的に記載したものとしての役割を果たすことは意図されていない。明確性のために別個の実施態様に関して本記載で記述されている特定の特徴を、単一の実施態様において組み合わせて提供することもできる。逆に、簡潔性のために単一の実施態様に関して記載されている種々の特徴を、別個に、又はサブコンビネーションにおいて提供してもよい。さらには、範囲で表現されている値への言及は、その範囲内のあらゆる値を含んでいる。多くの他の実施多様が、この明細書を読んだ後にのみ、当業者に明らかとなりうる。他の実施態様を、使用し、かつ本開示から派生させることができ、それによって、構造置換、論理置換、又は他の変更を、本開示の範囲から逸脱することなく、行うことができる。したがって、本開示は、制限的というよりは、説明的なものとしてみなされるべきである。
【００７８】
図との組み合わせての記述は、本記載に開示の教示の理解を助けるために提供されており、教示の記述を助けるために提供されており、かつ、教示の範囲又は適用性における制限として解釈されるべきではない。しかしながら、他の教示を、この応用において使用することは、確実に可能である。
【００７９】
本記載で使用されているように、用語「含む」、「含んでいる」、「包含する」、「包含している」、「有する」、「有している」又はそれらの任意の他のバリエーションは、非制限的な包含を対象とすることが意図されている。例えば、一連の特徴を含んでいる方法、物品、装置は、必ずしも、それらの特徴にのみ限定されず、明示的に挙げられていない他の特徴、又はそのような方法、物品若しくは装置に固有の他の特徴を包含しうる。さらには、明示的にそうではないことが述べられていない限り、「又は」は、包含的な又はであり、排他的な又はではない。例えば、Ａ又はＢという条件は、以下のうちの任意の１つによって満たされる：Ａが正で（又は存在しており）かつＢが偽（又は存在していない）、Ａが偽で（又は存在していない）かつＢが正（又は存在している）、及び、Ａ及びＢの両方が正（又は存在している）。
【００８０】
また、「ａ」又は「ａｎ」の使用は、本記載で記述されている要素及び構成要素を記述するために用いられている。これは、便宜のためにのみ行われており、本発明の範囲の一般的な意義を提供するために行われている。そうではないことを意味していることが明らかでない限りは、この記述は、１つ又は少なくとも１つを包含しているものとして読まれるべきであり、かつ、単数形は、複数形も包含しており、逆もまたしかりである。例えば、単一の物が本記載で記述されているときに、単一の物の代わりに、１よりも多い物を使用してよい。同様に、本記載で１よりも多い物が記述されているところでは、１よりも多いその物を、単一の物で置き換えることができる。
【００８１】
別段の規定がない限り、本記載で使用されているすべての技術用語及び科学用語は、この発明が属する技術分野における通常の技術の一つによって慣用的に理解されるものと同じ意味を有している。材料、方法、及び実施例は、説明的なものであり、制限的であることは意図されていない。特定の材料、及び方法の行為に関する一定の詳細が記載されていない範囲に関しては、そのような詳細は、慣用的なアプローチを含んでよく、慣用的なアプローチは、製造技術分野の範囲内における参考図書及び他の情報源において見出すことができる。
【００８２】
本開示の側面が、上述の実施態様との関連において特には示されかつ記述されている一方で、当業者は、開示されているものの精神及び範囲から逸脱することなく、開示の機械、システム及び方法の変更によって、多様な追加的な実施態様を考えることができるということを、理解するであろう。そのような実施態様は、請求項及びそれと等価な任意のものに基づいて決定される通りの本開示の範囲内に包含されるということが、理解されるべきである。
本開示は、以下の態様を含む：
〈態様１〉
以下を含んでいる、耐震壁構造体：
第一ランナー；
第二ランナー；及び
前記第一ランナー又は前記第二ランナー内に提供されている、少なくとも１個の耐震挿入体；
ここで、前記耐震挿入体が、少なくとも１個の細長い溝を有しており、前記細長い溝を通過している少なくとも１個の第一固定部材を介して、前記第一ランナー又は前記第二ランナーと連絡して保持されており、かつ
ここで、前記耐震挿入体が、前記耐震挿入体の両側又はいずれかの側において、少なくとも１個の第二固定部材を介して、建築板材に接続されている。
〈態様２〉
前記第一ランナーが、床に提供されており、かつ、前記第二ランナーが、天井に提供されている、態様１に記載の耐震壁構造体。
〈態様３〉
前記第一及び前記第二ランナーが、金属、木又はプラスチックのうちの１つからできているチャンネルを含んでいる、態様１又は２に記載の耐震壁構造体。
〈態様４〉
前記細長い溝の長軸が、前記第一ランナー又は前記第二ランナーの長さ方向長に実質的に平行に配置されている、態様１〜３のいずれか一項に記載の耐震壁構造体。
〈態様５〉
前記耐震挿入体が、対応する前記ランナーの形状に従った形状を有しており、かつ、実質的に、前記第一ランナー又は前記第二ランナー内に位置している、態様１〜４のいずれか一項に記載の耐震壁構造体。
〈態様６〉
前記耐震挿入体が、前記第一ランナー及び前記第二ランナーを超えて上に延在している、態様１〜５のいずれか一項に記載の耐震壁構造体。
〈態様７〉
前記細長い溝が、前記第一固定部材の直径よりも大きい幅を有している、態様１〜６のいずれか一項に記載の耐震壁構造体。
〈態様８〉
前記細長い溝が、前記ランナーの長さに垂直な少なくとも１個の抵抗部材を有している、態様１〜７のいずれか一項に記載の耐震壁構造体。
〈態様９〉
前記建築板材に接続されている少なくとも１個の支柱をさらに有している、態様１〜８のいずれか一項に記載の耐震壁構造体。
〈態様１０〉
前記支柱の末端が、実質的に、前記第一ランナー又は前記第二ランナーの中に配置されている、態様９に記載の耐震壁構造体。
〈態様１１〉
少なくとも１個の前記支柱が、壁スタッドを含んでいる、態様９又は１０に記載の耐震壁構造体。
〈態様１２〉
隣接表面に前記第一ランナー又は前記第二ランナーを接続している少なくとも１個の第三固定部材をさらに有している、態様１〜１１のいずれか一項に記載の耐震壁構造体。
〈態様１３〉
前記建築板材が、石こう又はセメント若しくは繊維セメントを含んでいる、態様１〜１２のいずれか一項に記載の耐震壁構造体。
〈態様１４〉
前記建築板材が、補強されている、態様１〜１３のいずれか一項に記載の耐震壁構造体。
〈態様１５〉
前記建築板材が、ポリマー性バインダ及び複数の繊維を有している、態様１〜１４のいずれか一項に記載の耐震壁構造体。
〈態様１６〉
前記ポリマー性バインダ及び前記複数の繊維が、合計で、前記建築板材の１重量％よりも多い、態様１５に記載の耐震壁構造体。
〈態様１７〉
前記ポリマー性バインダが、前記建築板材の１重量％よりも多い、態様１５又は１６に記載の耐震壁構造体。
〈態様１８〉
前記複数の繊維が、前記建築板材の１重量％よりも多い、態様１５〜１７のいずれか一項に記載の耐震壁構造体。
〈態様１９〉
前記ポリマー性バインダが、スターチ又はポリビニルアセテートを含んでいる、態様１５〜１８のいずれか一項に記載の耐震壁構造体。
〈態様２０〉
前記建築板材の端部が、前記第一ランナー又は前記第二ランナーの実質的に外側に位置している、態様１〜１９のいずれか一項に記載の耐震壁構造体。
〈態様２１〉
前記第一ランナー及び前記第二ランナーを、水平の平面内において、間隔を空けて配置しうる、態様１〜２０のいずれか一項に記載の耐震壁構造体。
〈態様２２〉
以下を含んでいる耐震挿入体：
第一脚部；
第二脚部；及び
基部、
ここで、前記第一及び第二脚部が、前記基部から垂直に延在しており、
ここで、前記基部が、少なくとも１個の第一固定部材を受け入れるための少なくとも１個の細長い溝をさらに含んでいる。
〈態様２３〉
前記第一脚部及び前記第二脚部が、少なくとも１個の第二固定部材を使用して、両側又はいずれかの側において建築板材に接続されているように、構成されている、態様２２に記載の耐震挿入体。
〈態様２４〉
壁構造体のランナー内に配置されているように、構成されている、態様２２に記載の耐震挿入体。
〈態様２５〉
前記第一脚部及び前記第二脚部が、前記ランナーの高さよりも大きい高さを有している、態様２２に記載の耐震挿入体。
〈態様２６〉
前記細長い溝の長軸が、前記ランナーの長さ方向長に実質的に平行に位置している、態様２２に記載の耐震挿入体。
〈態様２７〉
前記細長い溝が、前記第一固定部材の直径よりも大きい幅を有している、態様２２に記載の耐震挿入体。
〈態様２８〉
前記細長い溝が、２０ｍｍと１００ｍｍの間の長さを有している、態様２２に記載の耐震挿入体。
〈態様２９〉
前記細長い溝が、前記第一ランナー又は前記第二ランナーの長さに垂直な少なくとも一個の抵抗部材をさらに有している、態様２２に記載の耐震挿入体。
〈態様３０〉
前記抵抗部材が、その長さに沿って、少なくとも１個のへこみを有している、態様２９に記載の耐震挿入体。
〈態様３１〉
前記へこみが、前記細長い溝の中央又は１つの末端の方に位置しうる、態様３０に記載の耐震挿入体。
〈態様３２〉
テクスチャ加工された表面を有している、態様２２に記載の耐震挿入体。
〈態様３３〉
断面において実質的にＵ形状の部材である、態様２２に記載の耐震挿入体。
〈態様３４〉
金属を含んでいる、態様２２に記載の耐震挿入体。
〈態様３５〉
以下を含んでいる、耐震壁を組み立てるための方法：
第一ランナー及び第二ランナーを提供すること；
少なくとも１個の第三固定部材を使用して、隣接表面に前記第一ランナー及び前記第二ランナーを固定すること；
１以上のスタッドを、前記スタッドの一方の末端を前記第一ランナーに配置し、かつ、前記スタッドの他方の末端を前記第二ランナーに配置することによって、前記ランナーに滑り込ませること；
態様２２に記載の耐震挿入体を、前記スタッドの間で、前記第一ランナー及び／又は前記第二ランナーに配置すること；
態様２２に記載の耐震挿入体を、前記第一固定部材を通じて、前記第一ランナー及び前記第二ランナーに固定すること；並びに
少なくとも１個の第二固定部材を介して、態様２２に記載の耐震挿入体の両側若しくはいずれかの側に、建築板材を取り付けること。
〈態様３６〉
前記建築板材が、前記第一及び前記第二ランナーに対して固定された位置で保持されていない、態様３５に記載の方法。
〈態様３７〉
前記建築板材が、地震時に、前記耐震挿入体の動きに付随して、前記第一及び前記第二ランナーの長さに沿って長さ方向に動く、態様３５に記載の方法。
【符号の説明】
【００８３】
〈要素のリスト〉
〈タイトル：耐震構造体要素〉
１    ランナー
２    挿入体
３    第一固定部材
４    隣接表面
５    細長い溝
６    建築板材
７    第二固定部材
８    第三固定部材
９    第一ランナー
１０    床表面
１１    第二ランナー
１２    天井表面
１３    スタッド
１４    抵抗部材
１５    へこみ
１００    荷重非保持型壁
２００    方法
２１０    工程
２２０    工程
２３０    工程
２４０    工程
２５０    工程
２６０    工程
【図１】
0006989498.tif 000004
【図２】
0006989498.tif 000005
【図３】
0006989498.tif 000006
【図４】
0006989498.tif 000007
【図５Ａ】
0006989498.tif 000008
【図５Ｂ】
0006989498.tif 000009
【図５Ｃ】
0006989498.tif 000010
【図５Ｄ】
0006989498.tif 000011
【図５Ｅ】
0006989498.tif 000012
【図６】
0006989498.tif 000013
【図７】
0006989498.tif 000014
【図８】
0006989498.tif 000015
【図９】
0006989498.tif 000016
【図１０】
0006989498.tif 000017